(57)【要約】  本開示は、お気に入りメニューをコンピューティングデバイス３０に提供する方法であって、方法が、少なくとも１つの動作が割り当てられる項目を提供する工程１、お気に入りリストに項目を保存する工程２、１２、２１、およびコンピューティングデバイス３０の表示デバイス３３にお気に入りリストを表示する工程３、１３、２２を含み、項目が、医学的選択基準に基づいて提供される、方法に関する。さらに、プロセッサ３１、メモリ３２および表示デバイス３３を備えるコンピューティングデバイス３０が開示される。
2019515392.tif 000002
【特許請求の範囲】
【請求項１】
お気に入りメニューをコンピューティングデバイス（３０）に提供する方法であって、前記方法が、
少なくとも１つの動作が割り当てられる項目を提供する工程（１）、
お気に入りリストに前記項目を保存する工程（２；１２；２１）、および
前記コンピューティングデバイス（３０）の表示デバイス（３３）に前記お気に入りリストを表示する工程（３；１３；２２）
を含み、
前記項目が、医学的選択基準に基づいて提供される、方法。
【請求項２】
いくつかの事前に画定された項目を含む第１のリストが提供され（１０）、前記事前に画定された項目の少なくとも１つが、前記医学的選択基準に基づいて前記第１のリストから選択され（１１）、少なくとも１つの選択された、事前に画定された項目が、前記お気に入りリストに保存される（１２）、請求項１記載の方法。
【請求項３】
前記事前に画定された項目が、前記事前に画定された項目にさらなる動作を割り当てることにより適合され、および／または適合された項目を前記お気に入りリストに保存する前に、既存の動作を前記事前に画定された項目から取り除くことにより適合される、請求項２記載の方法。
【請求項４】
前記項目が、少なくとも１つの動作を前記項目に割り当てることにより生成され（２０）、前記お気に入りリストに保存され（２１）、前記項目が、前記医学的選択基準に基づいて生成される、請求項１記載の方法。
【請求項５】
前記医学的選択基準が、医学的動作の複雑度、前記医学的動作の臨床的な価値、または前記医学的動作の重要度に関連する、請求項１〜４のいずれか１項に記載の方法。
【請求項６】
前記動作が、前記コンピューティングデバイス（３０）のための制御コマンドを指すか、または前記コンピューティングデバイス（３０）に接続された医療デバイス（４０）のためのさらなる制御コマンドを指す、請求項１〜５のいずれか１項に記載の方法。
【請求項７】
前記さらなる制御コマンドが、前記コンピューティングデバイス（３０）に接続されたインスリンポンプによってインスリン送達を制御するように構成される、請求項６記載の方法。
【請求項８】
前記お気に入りリストに保存された前記項目が、さらなるユーザ入力無しに、前記項目に割り当てられた前記動作の実行を可能にする、請求項１〜７のいずれか１項に記載の方法。
【請求項９】
前記お気に入りリストに保存された前記項目が、確認の受け取り後に、前記項目に割り当てられた前記動作の実行を可能にする、請求項１〜７のいずれか１項に記載の方法。
【請求項１０】
前記項目に割り当てられた前記動作が、前記確認の受け取り前に修正される、請求項９記載の方法。
【請求項１１】
前記お気に入りリストが、たとえ前記コンピューティングデバイス（３０）の他の操作がロックされていても、前記コンピューティングデバイス（３０）上でアクセス可能である、請求項１〜１０のいずれか１項に記載の方法。
【請求項１２】
前記お気に入りリストに、異なるユーザ用の、選択される読取り許可および／または選択される書込み許可が設けられる、請求項１〜１１のいずれか１項に記載の方法。
【請求項１３】
プロセッサ（３１）、メモリ（３２）および表示デバイス（３３）を備えるコンピューティングデバイス（３０）であって、前記プロセッサ（３１）が、
少なくとも１つの動作が割り当てられる項目を提供し、
お気に入りリストに前記項目を保存し、
前記表示デバイスに前記お気に入りリストを表示する
ように構成され、
前記項目が、医学的選択基準に基づいて提供される、コンピューティングデバイス（３０）。
【発明の詳細な説明】
【技術分野】
【０００１】
本開示は、お気に入りメニューをコンピューティングデバイスに提供する方法およびコンピューティングデバイスに関する。
【背景技術】
【０００２】
たとえ最新のインスリンポンプが、インスリン送達を患者のライフスタイルに適合させるために各種の進化した機能を提供するとしても、これらの機能は、日常のルーチンにおいて、めったに使用されない。１つの理由は、教育が欠けていることにある可能性がある。他の理由としては、これらの進化した機能が、通常、使用を複雑にし、日常の糖尿病ルーチンに負担を加えるような、付加的な論理工程、障壁およびユーザ入力を要求することにある可能性がある。モチベーションの消失、間違ったグルコース制御、苦痛や憂鬱の悪化を避けるために、負担は、できるだけ少なくするべきである。基本的な、および進化した機能は、個々の患者の要求に関して標準化することができない。というのは、要求は、多かれ少なかれ活動的生活様式、特別な状況、年齢、糖尿病の期間などで変化し得るからである。
【０００３】
特許文献１には、食事の種類に従って、患者の身体に治療用の流体を供給する方法が開示されている。ボーラス送達を決定するために、患者によって消費されるべき食事の種類や食事摂取の内容が受け取られる。次に、食事の種類に対応するボーラス送達パターンがメモリから検索され、摂取の内容に対応する、供給される治療用の流体のボーラス量が決定される。さらに、適切なボーラス送達パターンを提供する方法は、たとえば、ある食事に対するユーザのｂＧ応答（ｂＧ−血糖）を、同じ食事に対する、プロファイルされた健康な応答と比較することにより、適合したボーラスプロファイルを再構築し、同じ種類の次の食事において、適切な、事前構築され、適合したボーラス送達パターンを提供することに基づき得る。適合したボーラス送達パターンは、それぞれが異なるＧＩ範囲（ＧＩ−グリセミック指数）に割り当てられた複数の事前構築されたボーラス送達パターンから選択され得る。ユーザは、奨励されたボーラス送達パターンを受け入れ、それに従って供給されるボーラス投与を受けることができる。いくつかの実施形態では、選択されたボーラス送達パターンは、ユーザによる受諾無しに送達され得る。たとえば、ユーザは、ボーラス投与の送達前に通知されることが可能で、送達を停止させるか、または代わりのボーラス送達パターンを選択できる。
【０００４】
特許文献２には、ユーザインターフェースおよびサーチエンジンを含むヘルスケア情報システムのためのレコードエクスプローラが開示されている。ユーザインターフェースは、入力デバイスおよび出力デバイスを含んでいる。入力デバイスは、患者の記録に関連したサーチ基準を受け取るように適合される。出力デバイスは、サーチ基準の受け取りに答えて、サーチ結果を提供するように適合される。サーチエンジンは、サーチ結果を生成するために、サーチ基準の受け取りに答えて、サーチを実行するように適合され、ユーザは、クライアントデバイスの臨床デスクトップから、ユーザインターフェースおよびサーチエンジンを有するレコードエクスプローラにアクセスする。ユーザは、サーチを実行する患者を選択する。レコードエクスプローラは、ユーザが患者の記録に関連するサーチのための基準を選択し、構築するために、サブエレメントを有する別々のタブ上に一連のサーチ基準を提供する。たとえば、ユーザは、サーチの基礎として、文書タイプ、訪問、問題、コンテンツの定義、ケアプランおよびヘルスケア機関のリストから選択することができる。ユーザがサーチのための項目を選択すると、基準の記載が生成され、表示され、それによって、ユーザは、選択されたサーチ基準を見ることができる。代わりにユーザは、コンテンツタブを使用し、キーワードサーチを実行して臨床条件の説明を見つけることができる。特には、ファイルアイコンは、ユーザにファイル名によって保存されたサーチの選択へのアクセスを提供する。お気に入りサーチメニューは、ユーザに、ドロップダウンメニューを介して、ユーザがしばしば使用する所定の保存されたサーチ基準へのアクセスを提供する。ユーザがサーチを開始した後に、レコードエクスプローラは、サーチ基準を満たすドキュメントまたはオブジェクトのリストとしてサーチ結果を表示する。ユーザは、ユーザが見たいと思うこれらの項目を選択する。ユーザは、各項目を別々に、または全ての選択が同時にリストされたフィルター表示で選択することができる。もしユーザが適当な権利を有していれば、ユーザは、ドキュメントまたはオブジェクトを見るか、または更新してもよい。
【０００５】
特許文献３には、データを表示するシステムおよび方法が開示されている。コンピューティングデバイスは、データを備え、出力デバイスを有し、ユーザの入力を登録するための１つまたは複数の入力デバイスを備えていてもよい。プログラムは、表示オブジェクトが組み込まれたスクリーン表示を生成し、さまざまなユーザ入力を処理することができる。表示オブジェクトは、コンピューティングデバイス内で何らかの動作を実行させるために、表示オブジェクトに対応するユーザ入力を登録することによって起動され得る。表示オブジェクトは、さまざまな方法で分類されてもよいデータを示す。プログラムは、データ点を比較し、事前に画定された、または双方向的に決められた基準に従って、互いに近くに位置するデータ点（「近傍点」）のグループを識別する。特には、スクリーン表示は、患者のデータの一覧表示を示し、患者のデータの一覧表示は、要約、患者のプロファイル、日誌やレコード、グラフおよびお気に入りのレポートというタイトルのメニュー項目を示す表示オブジェクトを有する第１メニュー；患者の変更、プリント（プリンタを示すアイコン）、電子メール（封筒を示すアイコン）などの複数の機能を示す表示オブジェクトを有する第２メニュー；患者識別データを表示するための患者識別領域；表示オプションを変更するためのオプションバー；医療データを表示するための「標準週−ｂＧ−全」とラベル表示された第１グラフ；および「インスリンポンプ使用」とラベル表示された第２グラフの部分表示を含む。
【０００６】
特許文献４には、改善された治療のための事前に選択された食事を支援する携帯型糖尿病管理デバイスが開示されている。食事を事前に計画することにより、患者に供給されるインスリンの量が適合されることになる。ユーザは、食事の計画をたてるために、リスト、たとえば、お気に入りリストから食事の項目を選択する。事前に画定された食事、または個々の食事項目は、事前に計画された食事を特定するために選択されてもよい。事前に計画された食事の栄養情報に基づいて、ボーラス計算機は、患者に供給されるボーラスを提案する。お気に入りの食事項目は、ユーザの好みに基づいてグループ分けされ得る。食事項目が、アレルギーの理由で食事データベースから除かれることがさらに開示される。
【０００７】
特許文献５には、遠隔監視の方法および装置が開示されている。方法は、ホストの検体状態をモニタする受信機から得られた検体センサデータから、サーバによって検出されたイベントを示す通知メッセージを遠隔モニタにおいて受け取ること；遠隔モニタを起動させるために、遠隔モニタにおいて、通知メッセージを提示することであって、遠隔モニタが、サーバによって、ホストの検体状態の受信機による監視を強化するために通知メッセージを受け取るように構成される、通知メッセージを提示すること；通知メッセージの提示に応じて、遠隔モニタによってサーバにアクセスすること；およびアクセスに応じて、少なくとも検体センサデータを含む情報を受け取ることを含む。
【先行技術文献】
【特許文献】
【０００８】
【特許文献１】国際公開第２０１０／０２９５５１号
【特許文献２】米国特許出願公開第２００３／００３６９２７号明細書
【特許文献３】米国特許出願公開第２００９／０１４７０１１号明細書
【特許文献４】米国特許出願公開第２０１３／０１６４７１８号明細書
【特許文献５】米国特許出願公開第２０１４／０１８８３９８号明細書
【発明の概要】
【０００９】
本開示の目的は、コンピューティングデバイスの使用を簡略化するために、お気に入りメニューをコンピューティングデバイスに提供する方法およびコンピューティングデバイスを提供することである。
【００１０】
本開示の態様によれば、独立請求項１および１３のそれぞれに係る、お気に入りメニューをコンピューティングデバイスに提供する方法およびコンピューティングデバイスが提供される。さらなる実施形態は従属請求項の主題である。
【００１１】
一態様によれば、お気に入りメニューをコンピューティングデバイスに提供する方法が提供される。方法は、少なくとも１つの動作が割り当てられる項目を提供する工程、お気に入りリストに項目を保存する工程、およびコンピューティングデバイスの表示デバイスにお気に入りリストを表示する工程を含む。項目は、医学的選択基準に基づいて提供される。
【００１２】
別の態様によれば、コンピューティングデバイスが提供される。コンピューティングデバイスは、プロセッサ、メモリおよび表示デバイスを備える。プロセッサは、少なくとも１つの動作が割り当てられる項目を提供し、お気に入りリストに項目を保存し、表示デバイスにお気に入りリストを表示するように構成される。項目は、医学的選択基準に基づいて提供される。
【００１３】
方法は、１つまたは複数の項目を有するお気に入りメニュー（お気に入りリスト）を提供し、各項目が、動作に割り当てられる。これによって、特定の機能および動作への迅速で、カスタマイズ可能なアクセスが可能になる。項目のリストは、ユーザのメニューの取り扱いを簡略化するために、医学的選択基準に基づく。このように、お気に入りリストは、動作、特には医学的な動作の画定された設定に割り当てられた項目を含んでもよい。
【００１４】
コンピューティングデバイスは、携帯コンピューティングデバイス、たとえば、携帯電話、スマートフォン、またはタブレットＰＣであってもよい。コンピューティングデバイスの表示デバイスは、ユーザ入力を受け取るように構成されるタッチスクリーンであってもよい。
【００１５】
一実施形態において、いくつかの予め画定された項目を含む第１のリストが提供され得る。予め画定された項目の少なくとも１つが、医学的選択基準に基づいて第１のリストから選択されてもよく、少なくとも１つの選択された、予め画定された項目が、お気に入りリストに保存されてもよい。
【００１６】
予め画定された項目は、さらなる動作を予め画定された項目に割り当てることにより適合されてもよく、および／または適合された項目をお気に入りリストに保存する前に、既にある動作を予め画定された項目から取り除くことにより適合されてもよい。ユーザは、ユーザが期待するものを見ることになる。項目は、ユーザの個々の標準タスクを参照するように適合され得る。ユーザは、ユーザが以前に実行した前の動作を参照する項目を選択して、それらをお気に入りの例とすることにより即時動作トリガーとして再度使用してもよい。コンピューティングデバイスは、たとえば、最終のＴＢＤ日（ＴＢＤ：総基礎インスリン投与）の間に実行されたすべての最近の動作のレビューを提供するように構成されてもよい。ユーザにとって最も高い価値を有する項目が、お気に入りリストに追加するために選択されてもよい。
【００１７】
別の実施形態では、項目は、少なくとも１つの動作を項目に割り当てることにより生成され、お気に入りリストに保存されてもよい。項目は、医学的選択基準に基づいて生成されてもよい。この実施形態は、項目を最初から作成することに言及する。項目が最初から作成される場合、フードライブラリまたはボーラスワークフローから生成されてもよい。項目は、将来実行されることになる動作を含んでもよい。たとえば、開始時間が、特定の期間の特定の量（Ｘ％）のＴＢＲ減少（ＴＢＲ：一時的基礎速度（temporary basal rate））のために提供されてもよい。これによって、レストランまたはバーに行く前に、予想されるアルコールの摂取に続く夜のおおよそのＴＢＲ減少の事前のプログラミングが可能になる。同じことが、スポーツイベントにおいても適用される。お気に入りリストからの「ワンクリック」処理が可能なことにより、正しいインスリン適応を気にかけることが可能なときに、非常に便利な方法で、かかる安全ツールの使用が促進される。
【００１８】
事前に画定された項目を適応することにより、または最初から新しい項目を生成することにより、いくつかの動作が項目中にグループ化され得る。
【００１９】
医学的選択基準は、医療動作の複雑度、医療動作の臨床的な価値または医療動作の重要度に関連し得る。複雑度の基準に関して、お気に入りリストは、ユーザがしばしば使用する拡張またはマルチウェーブボーラスなどの複雑な動作をリストにし得る。臨床的な価値の基準に関して、お気に入りリストは、ユーザがしばしば使用し、ユーザのＢＧレベルを目標に維持することが証明された動作をリストにし得る。重要度の基準に関して、お気に入りリストは、ユーザのＢＧレベル（ボーラス、炭水化物）に重要な意味を持つ動作をリストにし得る。
【００２０】
動作は、コンピューティングデバイスのための制御コマンド、またはコンピューティングデバイスに接続された医療デバイスのためのさらなる制御コマンドを指していてもよい。さらなる制御コマンドは、コンピューティングデバイスから医療デバイスに伝達されてもよい。医療デバイスは、有線式または無線式接続を経由してコンピューティングデバイスに接続されてもよい。無線式接続は、ＷＬＡＮ、Ｗｉ−Ｆｉ（登録商標）またはブルートゥース（登録商標）を介して構築されてもよい。医療デバイスは、インスリンポンプであってもよい。さらなる制御コマンドは、インスリンポンプによるインスリン送達を制御するように構成されてもよい。インスリン送達の制御は、インスリンポンプによって供給されるインスリンの量を制御すること、および／またはインスリン送達の時間／期間を制御することを含んでもよい。たとえば、ＴＢＲ供給コマンドが、コンピューティングデバイスによって生成されてもよく、またインスリンポンプに伝達されてもよい。
【００２１】
項目は、１つまたは複数の動作に割り当てられてもよい。コンピューティングデバイスのためのおよび／または医療デバイスのための複数の制御コマンドが、単一の項目においてグループ化されてもよい。これによって、ユーザによる複雑なタスクへの迅速なアクセスが可能になる。
【００２２】
動作は、インスリン送達（基礎およびボーラス）、炭水化物の導入、ＢＧ検査、ならびにイベント管理（健康イベント、活動）のための制御コマンドを含んでいてもよい。動作は、以下の動作：単一の食事項目（たとえば、スニッカーズのようなスナック）、複合の食事（たとえば、標準酒場メニュー）、インスリン送達（たとえば、４Ｕ標準ボーラス、または拡張ボーラス、３時間で５．５Ｕ）、一時的基礎速度の活性化（たとえば、１．５時間で９０％）、健康イベント（たとえば、病気、事故）、運動イベント（たとえば、スポーツ活動）、基礎プロファイルの変更（たとえば、「週末」／「平日」プロファイル）および事前に入力されたテキストによる注記の追加から選択することができる。動作は、インスリンポンプを停止するコマンド、手動ボーラスを入力するコマンド、注記を追加するコマンド、または特定の食べ物をサーチするコマンドをさらに含んでもよい。
【００２３】
お気に入りリストに保存された項目は、さらなるユーザの入力無しに、項目に割り当てられた動作の実行を可能にしてもよい。これは、また、「ワンクリック」動作とも呼ばれ、たとえば、週に三回のジョギングのために標準ＴＢＲを起動したり、頻繁に利用する旅行客のためにコンピューティングデバイスのフライトモードを起動したり、またはファーストフードレストランに行くときにいつも同じものを食べたりするなど、異なるライフスタイル状況に関連する動作の迅速な選択を可能にする。
【００２４】
お気に入りリストに保存された項目は、たとえばユーザ入力によって、確認を受け取った後に、項目に割り当てられた動作の実行を可能にしてもよい。確認を受け取る前に、項目に割り当てられた動作は修正されてもよい。複合の食事（バーガー、フライ、コークおよびデザートを含む）がお気に入りとして保存されている場合、第１のユーザ入力で選択されてもよい。第２のユーザ入力で、選択を確認することができ、または確認の前に修正することができる。たとえば、食事からフライが削除されてもよい。
【００２５】
お気に入りリストは、お気に入りリストにアクセスするために、特定のユーザ入力、たとえば、表示デバイス上を垂直にスライドすることによりアクセス可能であってもよい。タッチスクリーンデバイス（たとえば、スマートフォンまたはタブレット）のロック解除スクリーンから、お気に入りリストに直接アクセスすることが可能であってもよい。
【００２６】
たとえコンピューティングデバイスの他の操作がロックされていても、お気に入りリストのコンピューティングデバイスへのアクセスが可能であってもよい。いわゆる「子どもが使用する場合」の操作は、母親が、食事（たとえば、幼稚園用に）を準備し、全ての項目を第１のリストに絵と共に保存することを可能にする。項目は、たとえば、パン、リンゴ、ヨーグルトを含んでいてもよい。食べ物を認識することはできるが、まだ炭水化物計算ができない子どもは、お気に入りリスト中の項目にアクセスすることのみ可能である。子どもは、もしリンゴを食べることを決めた場合、項目「りんご」を押すことができる。コンピューティングデバイスは、正しいインスリン量を提供することになる。夜に、母親は、お気に入りを削除し、母親が準備する食べ物に従って翌日のための新しいお気に入りをプログラムしてもよい。項目は、絵を含む図示項目として提供されてもよい。図示項目は、動作、たとえば、特定の量のインスリンを送達するために、コンピューティングデバイスに接続されたインスリンポンプのための制御コマンドに割り当てられてもよい。項目は、また、複合の動作、たとえば、特定の時間に、特定の期間で、特定の量のインスリンを送達することに割り当てられてもよい。
【００２７】
お気に入りリストには、異なるユーザ、たとえば、親と子どものために、選択される読取り許可および／または選択される書込み許可が設けられてもよい。親は、お気に入りリスト（たとえば、炭水化物を含む、選択される食べ物項目）を設定してもよく、子供は、お気に入りリストの項目に、それらの修正無しにアクセスするだけであってもよい。
【００２８】
お気に入りリスト内で項目に容易にアクセス可能にすることは、カスタマイズを組み入れることにより、ユーザのシステムに対する総合的な満足度を増加させ得る。ユーザは、コンピューティングデバイスに「隠された」機能に触れさせられ得る。方法は、ユーザが以前に使用した要素によって、ユーザが迅速に糖尿病状態に対応することを容易にし、複雑さを減らし、総合的な糖尿病管理を改良し得る。親と子どもとの間の相互作用を促進することができ、子どもの糖尿病の自己管理の責任を増やすことができる。
【図面の簡単な説明】
【００２９】
以下に、図面を参照して、さらなる実施形態を説明する。図面には、以下のものが示される。
【００３０】
【図１】お気に入りメニューを提供する方法の概略ブロック図である。
【図２】お気に入りメニューを提供する別の方法の概略ブロック図である。
【図３】お気に入りメニューを提供するさらなる方法の概略ブロック図である。
【図４】コンピューティングデバイスおよび医療デバイスの概略ブロック図である。
【図５】お気に入りメニューの実施形態である。
【図６】お気に入りメニューのさらなる実施形態である。
【発明を実施するための形態】
【００３１】
図１は、お気に入りメニューを提供する方法の概略ブロック図を示す。最初に、項目が提供される（工程１）。少なくとも１つの動作が項目に割り当てられる。項目は、医学的選択基準に基づいて提供される。項目は、お気に入りリストに保存される（工程２）。次に、お気に入りリストが、コンピューティングデバイスの表示デバイスに表示される（工程３）。
【００３２】
図２は、お気に入りメニューを提供する別の方法の概略ブロック図を示す。工程１０において、いくつかの事前に画定された項目を含むリストが提供される。次に、事前に画定された項目のうちの少なくとも１つが、リストから選択される（工程１１）。選択は、医学的選択基準に基づく。選択された項目は、お気に入りリストに保存される（工程１２）。お気に入りリストが、工程１３において、コンピューティングデバイスの表示デバイスに表示される。選択された項目は、お気に入りリストに保存される前に修正されてもよい。
【００３３】
図３は、お気に入りメニューを提供するさらなる方法の概略ブロック図を示す。工程２０において、新しい項目が、少なくとも１つの動作を項目に割り当てることにより生成される。生成は、医学的選択基準に基づく。新しい項目は、お気に入りリストに保存され（工程２１）、お気に入りリストは、表示デバイスに表示される（工程２２）。
【００３４】
図４は、医療デバイス４０に接続されたコンピューティングデバイス３０の概略図を示す。コンピューティングデバイス３０は、プロセッサ３１、メモリデバイス３２、表示デバイス３３および通信デバイス３４を備える。プロセッサ３１は、本明細書中に開示される工程に従ってお気に入りリストを提供するように構成される。お気に入りリストは、メモリデバイス３２に保存され、表示デバイス３３に示され得る。医療デバイス４０への接続は、通信デバイス３４を経由して構築される。医療デバイス４０は、さらなるプロセッサ４１、さらなるメモリデバイス４２、さらなる通信デバイス４３およびインスリン送達デバイス４４を備える。医療デバイス４０は、インスリンポンプであってもよい。医療デバイス４０は、さらなる通信デバイス４３を経由してコンピューティングデバイスから制御信号を受け取ってもよい。さらなるプロセッサ４１は、受け取られた制御信号に基づいて、インスリン送達デバイス４４によりインスリン送達を制御するように構成されてもよい。
【００３５】
図５において、お気に入りメニューの実施形態が示される。第１のリスト５０は、図５の左側に示される。第１のリスト５０は、糖尿病管理の動作に関するいくつかの項目５１を含む。ボタン５２が提供される。ボタン５２を起動させることにより、選択された項目がお気に入りリスト５３に保存される。お気に入りリスト５３は、項目をフィルタリングするためのフィルタボタン５４を含む。お気に入りリスト５３のお気に入り項目５８は、お気に入り項目５８をタッピングすることにより選択され得る。これにより新しいウインドウ５５が開かれ、その中に、選択されたお気に入り項目の詳細が示される。ウインドウ５５は、確認ボタン５６および編集ボタン５７を含む。確認ボタン５６を押すと、ユーザは、選択された項目を、変更無しに受け入れる。これによって、ユーザは、２つのユーザ相互作用のみで、すなわち選択と確認だけで、お気に入り項目５８を起動させることができる。代わりに、選択されたお気に入り項目は、編集ボタン５７を押すことにより特定の状況に適合され得る。
【００３６】
図５は、お気に入りメニューのグラフィカルユーザインタフェースのさらなる実施形態を示す。
【図１】
2019515392.tif 000003
【図２】
2019515392.tif 000004
【図３】
2019515392.tif 000005
【図４】
2019515392.tif 000006
【図５】
2019515392.tif 000007
【図６】
2019515392.tif 000008
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
お気に入りメニューをコンピューティングデバイス（３０）に提供する方法であって、前記方法が、
少なくとも１つの動作が割り当てられる項目を提供する工程（１）であって、前記項目が、医学的選択基準に基づいて提供され、いくつかの事前に画定された項目を含む第１のリストが提供される（１０）、項目を提供する工程（１）、
前記医学的選択基準に基づいて、前記第１のリストから、前記事前に画定された項目の少なくとも１つを選択する工程（１１）であって、前記事前に画定された項目が、前記事前に画定された項目にさらなる動作を割り当てること、および適合された項目を前記お気に入りリストに保存する前に、既存の動作を前記事前に画定された項目から取り除くことの少なくとも１つにより適合される、前記事前に画定された項目の少なくとも１つを選択する工程（１１）、
お気に入りリストに前記項目を保存する工程（２；１２；２１）であって、少なくとも１つの選択された、事前に画定された項目が、前記お気に入りリストに保存される（１２）、お気に入りリストに前記項目を保存する工程（２；１２；２１）、ならびに
前記コンピューティングデバイス（３０）の表示デバイス（３３）に前記お気に入りリストを表示する工程（３；１３；２２）
を含む、方法。
【請求項２】
前記項目が、少なくとも１つの動作を前記項目に割り当てることにより生成され（２０）、前記お気に入りリストに保存され（２１）、前記項目が、前記医学的選択基準に基づいて生成される、請求項１記載の方法。
【請求項３】
前記医学的選択基準が、医学的動作の複雑度、前記医学的動作の臨床的な価値、または前記医学的動作の重要度に関連する、請求項１または２記載の方法。
【請求項４】
前記動作が、前記コンピューティングデバイス（３０）のための制御コマンドを指すか、または前記コンピューティングデバイス（３０）に接続された医療デバイス（４０）のためのさらなる制御コマンドを指す、請求項１〜３のいずれか１項に記載の方法。
【請求項５】
前記さらなる制御コマンドが、前記コンピューティングデバイス（３０）に接続されたインスリンポンプによってインスリン送達を制御するように構成される、請求項４記載の方法。
【請求項６】
前記お気に入りリストに保存された前記項目が、さらなるユーザ入力無しに、前記項目に割り当てられた前記動作の実行を可能にする、請求項１〜５のいずれか１項に記載の方法。
【請求項７】
前記お気に入りリストに保存された前記項目が、確認の受け取り後に、前記項目に割り当てられた前記動作の実行を可能にする、請求項１〜５のいずれか１項に記載の方法。
【請求項８】
前記項目に割り当てられた前記動作が、前記確認の受け取り前に修正される、請求項７記載の方法。
【請求項９】
前記お気に入りリストが、たとえ前記コンピューティングデバイス（３０）の他の操作がロックされていても、前記コンピューティングデバイス（３０）上でアクセス可能である、請求項１〜８のいずれか１項に記載の方法。
【請求項１０】
前記お気に入りリストに、異なるユーザ用の、選択される読取り許可および選択される書込み許可の少なくとも１つが設けられる、請求項１〜９のいずれか１項に記載の方法。
【請求項１１】
プロセッサ（３１）、メモリ（３２）および表示デバイス（３３）を備えるコンピューティングデバイス（３０）であって、前記プロセッサ（３１）が、
少なくとも１つの動作が割り当てられる項目を提供し、前記項目が、医学的選択基準に基づいて提供され、いくつかの事前に画定された項目を含む第１のリストが提供され、
前記医学的選択基準に基づいて、前記第１のリストから、前記事前に画定された項目の少なくとも１つを選択し、前記事前に画定された項目が、前記事前に画定された項目にさらなる動作を割り当てること、および適合された項目を前記お気に入りリストに保存する前に、既存の動作を前記事前に画定された項目から取り除くことの少なくとも１つにより適合され、
お気に入りリストに前記項目を保存し、少なくとも１つの選択された、事前に画定された項目が、前記お気に入りリストに保存され、
前記表示デバイスに前記お気に入りリストを表示する
ように構成される、コンピューティングデバイス（３０）。
【国際調査報告】
2019515392.tif 000009
2019515392.tif 000010